(57)【要約】【課題】電気設備機器を壁面等に固定して強勢力配線や弱勢力配線を外部に露見させずに機器内に引き込むような施工方法としたときに、スイッチボックスに隔壁部材等を設けなくて済むようにする。【解決手段】ベース部１０は、強勢力配線用の端子台１２ｂと弱勢力配線用の端子台１２ｃとが通線口１１ｅを挟むようにして左右又は上下に分離して配置されており、通線口１１を、端子台１２ｂに隣接する領域と、端子台１２ｃに隣接する領域とに区画する桟状の絶縁仕切部１１ｆが通線口１１ｅの周縁と一体に形成されている。【選択図】図１
2015056854.tif 000002
【特許請求の範囲】
【請求項１】
壁面から導出された配線を引き込む通線口がベース部の底面に形成されている壁面設置型の電気設備機器において、
前記ベース部は、強勢力配線用の端子台と弱勢力配線用の端子台とが、前記通線口を挟むようにして左右又は上下に分離して配置されており、
前記通線口を、前記強勢力配線用端子台に隣接する領域と、前記弱勢力配線用の端子台に隣接する領域とに区画する桟状の絶縁仕切部が、該通線口の周縁と一体に形成されていることを特徴とする、壁面設置型の電気設備機器。
【請求項２】
請求項１において、
前記通線口に対応する部分が除去された回路基板が、前記ベース部の底面と平行に固定されており、
前記強勢力配線用の端子台と前記弱勢力配線用の端子台とは、前記回路基板上でその除去された部分に隣接して設けられていることを特徴とする、壁面設置型の電気設備機器。
【請求項３】
請求項１又は２において、
前記絶縁仕切部は、前記通線口を、上下又は左右の２領域に区画していることを特徴とする、壁面設置型の電気設備機器。
【請求項４】
請求項１又は２において、
前記絶縁仕切部は、前記通線口を、左上、左下、右上、右下のいずれか１領域と、その他の領域とに区画していることを特徴とする、壁面設置型の電気設備機器。
【請求項５】
請求項１又は２において、
前記絶縁仕切部は、四方に枝部を有した十文字形状であって、前記通線口を上下左右の４領域に区画していることを特徴とする、壁面設置型の電気設備機器。
【請求項６】
請求項５において、
前記絶縁仕切部は、少なくとも１以上の枝部に切込み部を設けて、切除を容易にしていることを特徴とする、壁面設置型の電気設備機器。
【発明の詳細な説明】
【技術分野】
【０００１】
本発明は、壁面固定型の電気設備機器の改良に関する。
【背景技術】
【０００２】
従来、例えばインターホン設備の住戸親機等、電気設備機器を壁面等に固定して、その壁面の中の強勢力配線や弱勢力配線を外部に露見させずにその機器内に引き込む場合、図６に示すような施工方法によって、固定用ベース部材を壁面に固定していた。
【０００３】
図示のように、固定用ベース部材１１０は、その底面の中央部に通線口１１ｅが形成されており、通線口１１ｅの左辺側に強勢力配線用の端子台１２ｂが設けられ、右辺側に弱勢力用の端子台１２ｃが設けられている。一方、壁面４からは、強勢力配線Ｌ１（ＡＣ１００Ｖ）と弱勢力配線Ｌ２とが引き出されている。これらの強勢力配線Ｌ１及び弱勢力配線Ｌ２は通電口１１ｅから引き込まれてそれぞれ端子台１２ｂ、１２ｃに接続される。
【０００４】
ところが電気設備技術基準等の諸法令によって、３００Ｖ以下の低圧屋内配線と弱電屋内配線等を近接させるときには、絶縁性の隔壁によってそれらを分離することが定められている。そのため、施工の際には、電気設備機器の背面側の壁面に収容されるスイッチボックス５の適所に、強勢力配線Ｌ１と弱勢力配線Ｌ２とを隔てるための隔壁部材６等を別途固定していた。
【０００５】
次の特許文献１は、そのような配線の分離に関連する先行技術の一例である。この文献のものでは、電源線、通信線はベース筐体の周壁に形成された２つの開口から個別に引き込まれ、隔壁によって仕切られたスペースを経由して、対応した端子台に接続されるようになっている。
【先行技術文献】
【特許文献】
【０００６】
【特許文献１】特開2011-233982号公報
【発明の概要】
【発明が解決しようとする課題】
【０００７】
しかしながら、図６に示しているような施工方法は、スイッチボックスに隔壁部材を固定するための作業を要する上、スイッチボックスに加えて隔壁部材も現場に持参しなければならないので煩わしいものであった。なお特許文献１に記載されているベース筐体は、電源線、通信線をベース筐体の壁面から引き込む構成なので、このような施工方法には向いていない。
【０００８】
そこで本発明は、電気設備機器を壁面等に固定して強勢力配線や弱勢力配線を壁面の中から外部に露見させずに機器内に引き込むような施工方法としたときに、隔壁部材等を別途使用しなくて済むような電気設備機器を提供することを目的とする。
【課題を解決するための手段】
【０００９】
本発明は、壁面から導出された配線を引き込む通線口がベース部の底面に形成されている壁面設置型の電気設備機器において、前記ベース部は、強勢力配線用の端子台と弱勢力配線用の端子台とが、前記通線口を挟むようにして左右又は上下に分離して配置されており、前記通線口を、前記強勢力配線用端子台に隣接する領域と、前記弱勢力配線用の端子台に隣接する領域とに区画する桟状の絶縁仕切部が、該通線口の周縁と一体に形成されていることを特徴とする。
【００１０】
前記通線口に対応する部分が除去された回路基板が、前記ベース部の底面と平行に固定されており、前記強勢力配線用の端子台と前記弱勢力配線用の端子台とは、前記回路基板上でその除去された部分に隣接して設けられていてもよい。
【００１１】
前記絶縁仕切部は、前記通線口を、上下又は左右の２領域に区画していてもよい。
【００１２】
前記絶縁仕切部は、前記通線口を、左上、左下、右上、右下のいずれか１領域と、その他の領域とに区画していてもよい。
【００１３】
前記絶縁仕切部は、四方に枝部を有した十文字形状であって、前記通線口を上下左右の４領域に区画していてもよい。
【００１４】
前記絶縁仕切部は、少なくとも１以上の枝部に切込み部を設けて、切除を容易にしていてもよい。
【発明の効果】
【００１５】
本発明によれば、通線口が絶縁仕切部によって強勢力配線を引き込む領域と弱勢力配線を引き込む領域とに区画されており、電気設備機器自身でそれらの配線を分離できるので、スイッチボックスに隔壁部材等を別途固定する必要がなく、施工作業が簡略化される。
【図面の簡単な説明】
【００１６】
【図１】（ａ）、（ｂ）はそれぞれ本発明による電気設備機器の施工方法を示す斜視図と、その電気設備機器の施工後の態様を示す正面図である。
【図２】（ａ）、（ｂ）はいずれも、ベース部の概略正面図である。
【図３】絶縁仕切部の変形例を示す、ベース部の概略正面図である。
【図４】絶縁仕切部の他の変形例を示す、ベース部の概略正面図である。
【図５】絶縁仕切部の他の変形例を示す、ベース部の概略正面図である。
【図６】従来技術による電気設備機器の施工方法を示す斜視図である。
【発明を実施するための形態】
【００１７】
以下、本発明の実施形態の一例を図に従って説明する。
図１（ａ）−（ｂ）は、本発明による電気設備機器の施工方法と、その施工後の態様を示している。
【００１８】
本発明は、壁面から導出された配線を引き込む通線口がベース部の底面に形成されている壁面設置型の電気設備機器を想定している。すなわちここに云う電気設備機器は、複数の配線、具体的には強勢力配線（ＡＣ１００Ｖ等）及び小勢力配線を壁面の中から露見させずに引き込む構成のものである。その一例として、集合用インターホン設備の住戸親機について説明するが、電気設備機器はこれに限られず、例えば空調制御盤あるいは照明制御盤等でもよい。
【００１９】
図１（ａ）に示すように、電気設備機器１は、固定用ベース部材１１に回路基板１２を収容してなるベース部１０と、カバーパネル部材２１に小型表示パネル３１等を固定してなるカバー部２０とで構成されている。固定用ベース部材１１及びカバーパネル部材２１は、電気設備機器１の筐体を構成する。
【００２０】
固定用ベース部材１１は、例えば一体成型された薄箱形状の樹脂部品であって、壁面４に接触固定される底面１１ａと、その四方を囲む周壁１１ｂとで構成され、底面１１ａに対向する側は開放されている。樹脂の種別に制限はなく、ＰＶＣ、ＰＥＴ、ＡＢＳ等を用いればよい。ベース部１０の内側には、固定用ベース部材１１の周壁１１ｂに沿わせて回路基板１２が収容されている。周壁１１ｂの四隅には、カバー部２０を位置決めする突起１１ｃが設けられ、更に、周壁１１ｂの各所に補強リブ１１ｄが配置されている。
【００２１】
底面１１ａは、複数の配線を引き込むための矩形状に広がる通線口１１ｅが底面に設けられている。通線口１１ｅは、桟状の絶縁仕切部１１ｆが、通線口１１ｅの周縁と一体に形成されている。絶縁仕切部材１１ｆは、通線孔１１ｅを、少なくとも強勢力配線用の端子台１２ｂに隣接する領域と、弱勢力配線用の端子台１２ｃに隣接する領域とに区画している。なお、絶縁仕切部１１ｆは十文字形状のものを例示しているが、その形状に限定されるわけではない。また絶縁仕切部１１ｆは、壁面４に埋設されたスイッチボックス５の内部においても強勢力配線Ｌ１と弱勢力配線Ｌ２とを隔てるように、底面１１ａの背後に向けてリブ状に突出していてもよい。
【００２２】
通線口１１ｅの四隅近傍には、ベース部１０を壁面４にネジ止めするためのネジ孔１１ｇが形成されている。また底面１１ａの四隅近傍には、カバー部２０をベース部１０にネジ止めするためのネジ受部１１ｉが突出して設けられている。
【００２３】
回路基板１２は、マイコン等（図示なし）の電子部品が実装され、電気設備機器１の制御部を構成する。回路基板１２における固定用ベース部材１１の通線口１１ｅに対応する部分は除去されて、開口部１２ａになっている。開口部１２ａは通線口１１ｅよりもやや広く、ここを介してベース部１０のネジ止め作業ができる。開口部１２ａに隣接して、具体的には、開口部１２ａの左辺側に強勢力配線用の端子台１２ｂが設けられ、右辺側に弱勢力配線用の端子台１２ｃが設けられている。
【００２４】
回路基板１２は、電気設備機器１の機種毎に固有であり、機種に応じて端子台１２ｂ、１２ｃの配置が異なっていてもよい。その場合でも、回路基板１２の形状が開口部１２ａを含めて同一であれば、固定用ベース部材１１は共通して使用できる可能性がある。したがって本発明は、電気設備機器１の機種展開時に製造コストを抑える効果も期待できる。
【００２５】
開口部１２ａの上辺側には、カバー部２０から導出されたコネクタ３８を接続するための受コネクタ１２ｊが設けられている。また開口部１２ａの左辺側には、電源スイッチ１２ｋが設けられている。
【００２６】
回路基板１２は、底面１１ａに平行になるように、固定用ベース部材１１にネジ止めされている。このときベース部１０は、強勢力配線用の端子台１２ｂと弱勢力配線用の端子台１２ｃとが、通線口１１ｅを挟むようにして左右又は上下に分離して配置された状態となる。回路基板１２を底面１１ａに沿わせて配置すれば、強勢力配線Ｌ１、弱勢力配線Ｌ２を最短の距離で端子台１２ｂ、１２ｃに接続でき、電気設備機器１も薄型化できる。
【００２７】
カバーパネル部材２１は、例えば一体成型された板形状の樹脂部品であり、正面の左、右領域２１ａ、２１ｂは一段低く形成されており、それらにそれぞれ化粧枠２２を被せて正面全体が平坦となるように構成されている。また左、右領域２１ａ、２１ｂは、固定用ベース部材１１のネジ受部１１ｉに対応させて４つのネジ孔２１ｃが形成されている。またカバーパネル部材２１の広がりは、固定用ベース部材１１の周壁１１ｂに整合するようになっている。
【００２８】
カバー部２０の正面には、小型表示パネル３１や操作スイッチ３２が配置されている。詳細には、上辺部にマイク孔３３と、「復旧」、「警報音停止」、「火災確認」、「非常」等の操作スイッチ３２が設けられ、その下に小型表示パネル３１が設けられている。更にその下には、複数のファンクションスイッチ３４が設けられ、更にその下に、スピーカ用の通音孔部３５と、「通話」スイッチ３６とが設けられている。マイク孔３３の背面にはマイクが設けられ、通音孔部３５の背面にはスピーカが設けられている（いずれも図示なし）。また右領域２１ｂには、住戸の部屋番号等を初期設定するためのディップスイッチ３７が設けられている。これらの各スイッチ３２、３４、３６、３７、小型表示パネル３１、マイク、スピーカ等に接続されるリード線はコネクタ３８に集合されている。
【００２９】
壁面４は、表裏２枚の合板又は石膏ボート等の板材を所定間隙で対向させた一般的な構造のものである。その間隙には、強勢力配線Ｌ１及び弱勢力配線Ｌ２が敷設されている。電子設備機器１の設置場所は板材が開口加工されており、その奥に、規定サイズのスイッチボックス５が埋設されている。図中では、簡単のためにスイッチボックス５の内部構造を省略しているが、スイッチボックス５は正面が解放されており、その解放面が開口加工部４１に整合されている。またスイッチボックス５は、配線導入口が各方向に形成されており、強勢力配線Ｌ１と弱勢力配線Ｌ２は異なる配線導入口からスイッチボックス５内に案内されている（図示なし）。なお開口加工部４１の上辺及び下辺から延びている４つのネジ受片５ａは、スイッチボックス５の一部である。
【００３０】
次いで電気設備機器１の施工手順を簡単に説明する。スイッチボックス５を壁面４に埋設するまでの作業は説明を省略する。スイッチボックス５を埋設した後の施工手順としては、まずスイッチボックス５のネジ受片５ａにベース部１０のネジ孔１１ｇを合わせてネジＢを締め込み、ベース部１０を壁面４に固定する。そして強勢力配線Ｌ１を通線口１１ｅの左側領域から引き込んで端子台１２ｂに固定し、弱勢力配線Ｌ２を通線口１１ｅの右側領域から引き込んで端子台１２ｃに固定する。ベース部１０の固定と、配線Ｌ１、Ｌ２の引き込みは手順前後してもよい。
【００３１】
このとき強勢力配線Ｌ１を引き込む領域と、弱勢力配線Ｌ２を引き込む領域とが、絶縁仕切部１１ｆによって分離されているので、従来のような隔壁部材がなくても、配線Ｌ１、Ｌ２が確実に隔てられ、漏電や放電による障害等が防止できる。またスイッチボックス５又は固定用ベース部材１１に従来のような隔壁部材を固定する手間もかからないので、施工作業が簡略化される。
【００３２】
なお、同一形状の通線口１１ｅであっても、端子台１２ｂ、１２ｃの配置に応じて、強勢力配線Ｌ１、弱勢力配線Ｌ２を引き込むのに適した領域が変わるのは当然である。例えば、強勢力配線用の端子台１２ｂが通線口１１ｅの上辺側に配置され、弱勢力配線用の端子台１２ｃが通線口１１ｅの下辺側に配置されているならば、強勢力配線Ｌ１は通線口１１ｅの上辺側領域から引き込み、弱勢力配線Ｌ２は下辺側領域から引き込むとよい。要するに、強勢力配線Ｌ１と弱勢力配線Ｌ２とを、絶縁仕切部１１ｆによって区画された別々の領域から引き込むことによって、両者の接触が防止できればよい。弱勢力配線Ｌ２の本数が多い場合、それらを複数の領域に分けて引き込んでもよい。絶縁仕切部１１ｆによって区画された領域が３以上あれば、絶縁仕切部１１ｆの一部を切断除去して、弱勢力配線Ｌ２を引き込むために複数の領域を一つにまとめてもよい。
【００３３】
その後の施工手順では、カバー部２０のコネクタ３８をベース部１０の受コネクタ１２ｊに接続してから電源スイッチ１２ｋをオンにして、電気設備機器１の作動を確認する。不作動であれば、強勢力配線Ｌ１、弱勢力配線Ｌ２と端子台１２ｂ、１２ｃとの接続等を修正し、再度電気設備機器１の作動を確認する。無事に作動すれば、ベース部１０のネジ受部１１ｉにカバー部２０のネジ孔２１ｃを合わせてネジＢを締め、カバー部２０をベース部１０に固定する。そしてカバー部２０のディップスイッチ３７の設定等をしてから化粧枠２２を被せれば、施工が完了する。
【００３４】
電気設備機器１の施工が完了した状態は図１（ｂ）に示している。このような施工方法によれば、強勢力配線Ｌ１、弱勢力配線Ｌ２が外部に露見せず、安全性も確保される。
【００３５】
以下、本発明の実施形態の他例を図２（ａ）−（ｂ）、図３、図４、図５について順に説明していく。各図では、簡単のため、固定用ベース部材１１、端子台１２ｂ、１２ｃ、及び強勢力配線Ｌ１、弱勢力配線Ｌ２のみを記載し、他の要素は省略する。弱勢力配線Ｌ２の本数も簡単のため３としている。なお図示していない構成要素は、図１のものと共通しているので説明を省略する。
【００３６】
図２（ａ）−（ｂ）はＬ字形状とされた絶縁仕切部の例である。すなわち図２（ａ）では、強勢力配線用の端子台１２ｂが通線口１１ｅの左辺側上部に配置され、弱勢力配線用の端子台１２ｃが通線口１１ｅの右辺側に配置されている。これに対して、絶縁仕切部１１ｆは、通線口１１ｅの広がりの左上中央部分から上辺及び左辺に向かうＬ字形状のものとしている。
【００３７】
図２（ｂ）は、図２（ａ）に類似した絶縁仕切部の例である。ここでは強勢力配線用の端子台１２ｂが通線口１１ｅの左辺側下部に配置され、弱勢力配線用の端子台１２ｃが通線口１１ｅの右辺側に配置されている。これに対して、絶縁仕切部１１ｆは、通線口１１ｅの広がりの中央部分から下辺及び左辺に向かうＬ字形状のものとしている。
【００３８】
要するに図２（ａ）−（ｂ）の例では、絶縁仕切部が、通線口を、左上、左下、右上、右下のいずれか１領域と、その他の領域とに区画している。このとき強勢力配線用の端子台１２ｂの配置に応じてＬ字形状の向きを選択すれば、強勢力配線Ｌ１を引き込むため領域が端子台１２ｂの近傍に確保でき、同時に弱勢力配線Ｌ２を引き込むための領域も配線用の端子台１２ｃの近傍に確保できる。また強勢力配線Ｌ１を引き込むため領域と、弱勢力配線Ｌ２を引き込むための領域との比率も、強勢力配線Ｌ１、弱勢力配線Ｌ２の本数に応じたものになるから、強勢力配線Ｌ１、弱勢力配線Ｌ２の引き込みに無理が生じない。
【００３９】
図３は、縦桟状とされた絶縁仕切部の例である。ここでは強勢力配線用の端子台１２ｂが通線口１１ｅの左辺側上部に配置され、弱勢力配線用の端子台１２ｃが通線口１１ｅの右辺側に配置されている。絶縁仕切部１１ｆは、通線口１１ｅを左右の２領域に区画する。なお図示は省略するが、強勢力配線用の端子台１２ｂが通線口１１ｅの上辺側にあり、弱勢力配線用の端子台１２ｃが通線口１１ｅの下辺側にある場合は、絶縁仕切部１１ｆは横桟状として、通線口１１ｅを上下の２領域に区画するとよい。
【００４０】
このようにしても図２（ａ）−（ｂ）の例と同様に、強勢力配線Ｌ１を引き込むため領域が端子台１２ｂの近傍に確保でき、弱勢力配線Ｌ２を引き込むための領域も配線用の端子台１２ｃの近傍に確保できる。また２領域の面積比も、強勢力配線Ｌ１、弱勢力配線Ｌの本数に応じたものにできる。
【００４１】
図４は、十文字形状とされた絶縁仕切部の例である。ここでは強勢力配線用の端子台１２ｂが通線口１１ｅの左辺側上部に配置され、弱勢力配線用の端子台１２ｃが通線口１１ｅの右辺側に配置されている。絶縁仕切部１１ｆは、通線口１１ｅの広がりの中央部分から上辺、下辺、左辺及び右辺に向かって分岐する複数の枝部１１ｊからなる。すなわち絶縁仕切部１１ｆは、四方に枝部を有した十文字形状であって、通線口を上下左右の４領域に区画している。このような十文字形状の絶縁仕切部１１ｆは、端子台１２ｂ、１２ｃの多様な配置にそのまま対応できる。すなわち端子台１２ｂ、１２ｃの配置によらず、強勢力配線Ｌ１を引き込むため領域が強勢力配線用の端子台１２ｂの近傍に確保でき、弱勢力配線Ｌ２を引き込むための領域も弱勢力配線用の端子台１２ｃの近傍に確保できる。なお図中の破線部分をニッパーやカッター等の工具によって切断すれば、残される絶縁仕切部１１ｆは、図２（ａ）に類似した形状となり、同様の効果が得られる。また絶縁仕切部１１ｆは、通線口１１ｅの広がりに応じて縦、横の本数が異なっていてもよい。
【００４２】
図５は、図４の例の改良例であって、少なくとも１以上の枝部に切込み部を設けて、切除を容易にしている。切込み部１１ｋの各々は、枝部１１ｊの根元部分において、平面視してＶ字形状とされた切欠きの対として形成されており、そこは他の部分よりも幅が狭いので、ニッパーやカッター等によって簡単に切断できる。そのとき枝部１１ｊの除去部分は鋭いエッジを形成しないので、そこに接触する強勢力配線Ｌ１や弱勢力配線Ｌ２を傷めるおそれもない。
【００４３】
また切込み部１１ｋを図のように配置しておけば、枝部１１ｊの各々を選択的かつ容易に除去できるから、端子台１２ｂ、１２ｃが図５とは異なる場所に配置されていたとしても、容易に対応できる。
【符号の説明】
【００４４】
１      電気設備機器
４      壁面
１０    ベース部
１１ａ  底面
１１ｅ  通線口
１１ｆ  絶縁仕切部
１１ｊ  枝部
１１ｋ  切込み部
１２    回路基板
１２ｂ、１２ｃ  端子台
【図１】
2015056854.tif 000003
【図２】
2015056854.tif 000004
【図３】
2015056854.tif 000005
【図４】
2015056854.tif 000006
【図５】
2015056854.tif 000007
【図６】
2015056854.tif 000008